(57)【特許請求の範囲】
【請求項１】
防火戸の係合部材と係合する係合部を有するラッチを含むラッチ機構部と、該ラッチの係合部と該防火戸の係合部材との係合を保持するラッチ固定機構部と、起動部と、該起動部の起動に基づき、自動で、該ラッチ固定機構部による該ラッチの係合部と該防火戸の係合部材との係合保持状態を解除するラッチ解除機構部とを備え、手動でも、該ラッチ固定機構部による該ラッチの係合部と該防火戸の係合部材との係合保持状態を解除可能に構成された防火戸用自動閉鎖装置であって、
該ラッチ固定機構部は、第１のアームと、該第１のアームに回動可能に連結された第２のアームとを有すると共に、該第１のアームと該第２のアームとのジョイント部に設けられ、自動で該ラッチの係合状態を解除する際に動作する第１のトリガと、該第２のアームに設けられ、手動で該ラッチの係合状態を解除する際に動作する第２のトリガとを有するトグルリンク機構からなるものであり、
又、該ラッチ機構部は、該ラッチが回動可能に設けらていると共に、該防火戸を閉鎖方向に引くことにより所定の方向に回動するように設けられており、その回動する該ラッチと共に所定の方向に回動し、該第２のトリガを押動する解除レバーを更に含むものであり、手動で該ラッチの係合状態を解除する際には該防火戸を閉鎖方向に引くことにより該解除レバーを回動させ、それにより該第２のトリガを動作させるものであることを特徴とする防火戸用自動閉鎖装置。
【請求項２】
該解除レバーは、該ラッチと同じ軸回りに回動するものであることを特徴とする請求項１に記載の防火戸用自動閉鎖装置。
【発明の詳細な説明】
【技術分野】
【０００１】
この発明は、常時は防火戸を開放状態に保持し、火災発生時等は防火戸を自動的に閉鎖させる防火戸用自動閉鎖装置に関する。
【背景技術】
【０００２】
防火戸用自動閉鎖装置は、一般に、防火戸の係合部材と係合する係合部を有するラッチを備えており、常時は、ラッチの係合部と防火戸の係合部材との係合を保持して、防火戸を開放状態に保持し、火災発生時は、ソレノイド等の起動手段の動作に連動して、ラッチの係合部と防火戸の係合部材との係合の保持状態を解除し、防火戸をその自重により自動的に閉鎖させることができるようになっている。
【０００３】
この種の自動閉鎖装置は、自動的に防火戸を閉鎖させることができない場合に備え、防火戸を閉鎖方向に引っ張ることで、ラッチの係合の保持状態を解除することができるようにもなっており、即ち、手動で防火戸を閉鎖させることができるようにもなっているが、従来の自動閉鎖装置においては、一般に、そのラッチを制止片の綾部に引っ掛けて係合状態を保持し、その解除は、自動の場合、引き金板によって制止片を解除し、手動の場合は、ラッチを引いて制止片の綾部との引っ掛かりを外していた（例えば、特許文献１参照）。
【先行技術文献】
【特許文献】
【０００４】
【特許文献１】特公平３−１９３５０号公報
【発明の概要】
【発明が解決しようとする課題】
【０００５】
従来の自動閉鎖装置におけるラッチの係合状態の解除は、前記のように、自動の場合は、引き金板により制止片を解除し、手動の場合は、ラッチを制止片の綾部から直接外している。
【０００６】
従って、従来の自動閉鎖装置は、ラッチの係合の保持を解除する際、自動と手動とで、異なる部品によって制止片を動かすため、引き金板と制止片の関係する寸法、ラッチと制止片の綾部の関係する寸法がシビアになっていた。
【０００７】
この発明は、前記の事情に鑑み、設計・製造が容易な防火戸用自動閉鎖装置を提供することを目的とする。
【課題を解決するための手段】
【０００８】
この発明は、防火戸の係合部材と係合する係合部を有するラッチを含むラッチ機構部と、該ラッチの係合部と該防火戸の係合部材との係合を保持するラッチ固定機構部と、起動部と、該起動部の起動に基づき、自動で、該ラッチ固定機構部による該ラッチの係合部と該防火戸の係合部材との係合保持状態を解除するラッチ解除機構部とを備え、手動でも、該ラッチ固定機構部による該ラッチの係合部と該防火戸の係合部材との係合保持状態を解除可能に構成された防火戸用自動閉鎖装置であって、該ラッチ固定機構部は、第１のアームと、該第１のアームに回動可能に連結された第２のアームとを有すると共に、該第１のアームと該第２のアームとのジョイント部に設けられ、自動で該ラッチの係合状態を解除する際に動作する第１のトリガと、該第２のアームに設けられ、手動で該ラッチの係合状態を解除する際に動作する第２のトリガとを有するトグルリンク機構からなるものであり、又、該ラッチ機構部は、該ラッチが回動可能に設けらていると共に、該防火戸を閉鎖方向に引くことにより所定の方向に回動するように設けられており、その回動する該ラッチと共に所定の方向に回動し、該第２のトリガを押動する解除レバーを更に含むものであり、手動で該ラッチの係合状態を解除する際には該防火戸を閉鎖方向に引くことにより該解除レバーを回動させ、それにより該第２のトリガを動作させるものであることを特徴とする防火戸用自動閉鎖装置である。
【０００９】
又、この発明は、該解除レバーは、該ラッチと同じ軸回りに回動するものであることを特徴とする防火戸用自動閉鎖装置である。
【発明の効果】
【００１０】
この発明によれば、ラッチ固定機構部がラッチの係合保持状態を自動解除するための第１のトリガと手動解除するための第２のトリガとを備えていることで、１つのラッチ固定機構部によって、ラッチの係合保持状態の自動解除にも、手動解除にも対応することができ、装置設計の自由度を広げたり、製造時の寸法許容差を大きくすることができ、装置の設計・製造を容易化することができる。
【００１１】
従って、この発明によれば、設計・製造が容易な防火戸用自動閉鎖装置を提供することができる。
【図面の簡単な説明】
【００１２】
【図１】この発明の防火戸用自動閉鎖装置の実施形態の一例を示し、（ａ）がケース上側を外した状態における平面図、（ｂ）がケース上側と中間シャーシを外した状態における平面図である。
【図２】同上を示し、（ａ）及び（ｂ）何れも起動部と中間シャーシとスライド機構部分の側面図であり、（ａ）が常時における起動部のプランジャが伸長した状態にある際のもので、（ｂ）が起動時における起動部のプランジャが縮長し、ラッチ固定機構部の自動解除用トリガピンを解除位置に変位させた際のものである。
【図３】同上を示し、（ａ）乃至（ｃ）何れもケース上側と中間シャーシを外した状態における平面図であり、自動でラッチ機構部を係合保持状態からそれを解除して防火戸のフックを解放する場合の変化の様子を示したものであり、（ａ）がラッチ機構部が係合保持状態にあるときのもの、（ｂ）が起動部の起動によりラッチ機構部の係合保持状態が解除されようとしているときのもの、（ｃ）が起動部の起動によりラッチ機構部の係合保持状態が解除され、ラッチ機構部から防火戸のフックが解放されたときのものである。
【図４】同上を示し、（ａ）乃至（ｄ）何れもケース上側と中間シャーシを外した状態における平面図であり、手動でラッチ機構部を係合保持状態からそれを解除して防火戸のフックを解放する場合の変化の様子を示したものであり、（ａ）がラッチ機構部が係合保持状態にあるときのもの、（ｂ）がラッチ機構部の手動解除用のレバーがラッチ固定機構部の手動解除用のトリガレバーに当接されたときのもの、（ｃ）及び（ｄ）がラッチ機構部の手動解除用のレバーがラッチ固定機構部の手動解除用のトリガレバーを押動し、ラッチ固定機構部が解除状態に変化し、ラッチ機構部の係合保持状態が解除され、ラッチ機構部から防火戸のフックが解放されたときのものである。
【発明を実施するための形態】
【００１３】
この発明の防火戸用自動閉鎖装置の一実施形態を図１乃至４に基づき説明する。
【００１４】
先ず、全体の概要について説明する。
【００１５】
防火戸用自動閉鎖装置１は、ケース２内にラッチ機構部３、ラッチ固定機構部４、起動部の一例としてのソレノイド５、ラッチ解除機構部６、中間シャーシ７等を備えている。防火戸用自動閉鎖装置１において、ケース２は上下に２分割されている。このケース２には、図示しない防火戸の係合部材、例えばフックＨを出入りさせるための開口部２ａが形成されている。また、ケース２内においては、中間シャーシ７を境に上下に２分割されており、中間シャーシ７の下側にラッチ機構部３、ラッチ固定機構部４、ラッチ解除機構部６の後記するスライド機構部６ａ等が位置し、中間シャーシ７の上側にソレノイド５等が位置する配置構造となっている。
【００１６】
防火戸用自動閉鎖装置１は、常時は、開口部２ａ内に位置する防火戸のフックＨとのラッチ機構部３による係合を保持し、防火戸を開放状態に保持することができるものとなっており、火災時は、火災信号によるソレノイド５の起動に基づいて自動で、或いは、防火戸を閉鎖方向に引っ張って手動で、防火戸のフックＨとのラッチ機構部３による係合の保持状態を解除し、フックＨをラッチ機構部３から解放させて、防火戸を閉鎖させることができるものとなっている。
【００１７】
次に、各構成の詳細について説明する。
【００１８】
ラッチ機構部３は、防火戸のフックＨと係合する鉤状の係合部３ｅを有するラッチプレート３ａを含んでいるが、具体的には、ケース２に固定の軸Ｘ１を軸として共に回動可能なラッチプレート３ａ、係止プレート３ｂ及び解除レバー付プレート３ｃからなる３枚のプレートと、ケース２に固定の軸Ｘ２を軸として回動可能なラッチアーム３ｄからなるものとなっている。このラッチ機構部３において、３枚のプレートは軸Ｘ１を軸として共に回動するようになっているが、ラッチプレート３ａの回動により、係合部３ｅは、防火戸のフックＨとの係合の保持が可能な係合位置（Ｐ１）と、フックＨとの係合の解放が可能な解放位置（Ｐ２）との間で回動変位することができるようになっており（図３ａ乃至ｃ及び図４ａ乃至ｄ）、また、３枚のプレートは、図示しないスプリングにより係合部３ｅの解放位置（Ｐ２）側に向けて（図面上の時計回り）常時付勢されているが、係止プレート３ｂとラッチアーム３ｄが協働し、３枚のプレートの回動に連れて、係止プレート３ｂの係合凸部３ｆとラッチアーム３ｄの係合凹部３ｇが係脱することで、３枚のプレートの回動と停止ができるようになっている。なお、ラッチアーム３ｄは、図示しないスプリングにより３枚のプレート側（図面上の下方）に向けて常時付勢されている。
【００１９】
ラッチ固定機構部４は、ラッチ機構部３と協働し、ラッチプレート３ａの係合部３ｅが係合保持位置にある状態に保持し、ラッチ機構部３を係合保持状態に固定するものであるが、具体的には、ラッチアーム３ｄの回動端と連結され、伸長状態と屈折状態との間で変化可能なトグルリンク機構４ａからなるものとなっている。
【００２０】
トグルリンク機構４ａは、具体的には、ケース２に固定の軸Ｘ３を軸として回動可能な第１アーム４ｂと、第１アーム４ｂにジョイント部４ｄで回動可能に連結された第２アーム４ｃとからなり、第２アーム４ｃにジョイント部４ｅで回動可能にラッチアーム３ｄの回動端が連結されたものとなっており、伸長状態にあるとき、ラッチアーム３ｄをその係合凹部３ｇが係止プレート３ｂの係合凸部３ｆと係合する位置に位置させ（図３ａ及び図４ａ）、屈折状態にあるとき、ラッチアーム３ｄをその係合凹部３ｇが係止プレート３ｂの係合凸部３ｆと係合しない位置に位置させるものとなっており（図３ｃ及び図４ｄ）、そして、軸Ｘ３部分に設けたスプリング（ねじりバネ）４ｈにより、伸長方向に常時付勢されており、ラッチ機構部３において、係止プレート３ｂの係合凸部３ｆがラッチアーム３ｄの係合凹部３ｇと係合する位置にあり、即ち、ラッチプレート３ａの係合部３ｅが係合保持位置にあれば、伸長状態を維持して、ラッチアーム３ｄの係合凹部３ｇを係止プレート３ｂの係合凸部３ｆと係合した状態を保持し、即ち、ラッチプレート３ａの係合部３ｅが係合保持位置にある状態に保持し、ラッチ機構部３を係合保持状態に固定するものとなっている。なお、このトグルリンク機構４ａには、ラッチ解除機構６と協働して、ラッチ機構部３の係合保持状態を自動で解除するために、伸長状態から屈折状態に変化させる第１のトリガの一例としての自動解除用のトリガピン４ｆがジョイント部４ｄ上に立設されて設けられている。
【００２１】
ソレノイド５は、火災信号等に基づき、伸縮移動するプランジャ５ａを有し、ラッチ解除機構６と協働して、ラッチ機構部３の係合保持状態を自動的に解除するためのものであるが、常時は、磁力により、プランジャ５ａを伸長状態に保持し（図２ａ）、火災時は、通電により、磁力を弱め、プランジャ５ａが縮長可能な状態になるものであり、後記のラッチ解除機構６の起動レバー６ｍに押圧されて、縮長されるものとなっている（図２ｂ）。なお、５ｂは、プランジャ５ａの伸長状態への復帰用のスプリングである。
【００２２】
ラッチ解除機構部６は、ソレノイド５と協働して、ラッチ機構部３の係合保持状態を自動的に解除するものであるが、取付プレートの一例としての中間シャーシ７上に長さ方向にスライド移動可能に重畳されて取り付けられた第１の解除プレート６ｂと第２の解除プレート６ｃからなり、ソレノイド５のプランジャ５ａの縮長側への移動に連動して、ラッチ固定機構部４によるラッチ機構部３の係合保持状態を解除するように動作するスライド機構６ａを含んでいる。
【００２３】
スライド機構６ａにおいて、第１の解除プレート６ｂには、中間シャーシ７を貫通し、ソレノイド５のプランジャ５ａの先端と当接する起動レバー６ｍが立設されると共に（図２ａ及びｂ）、その反対側にトグルリンク機構４ａのトリガピン４ｆと当接する解除レバー６ｎが立設されている（図２ａ及びｂ）。また、第１の解除プレート６ｂと第２の解除プレート６ｃとの間には両プレートの長さ方向に沿って両プレートを接近させる方向に付勢力を作用させるコイルスプリング６ｐが設けられており、ソレノイド５の伸長状態にあるプランジャ５ａが第１の解除プレート６ｂの起動レバー６ｍと当接している常時の状態において、第１の解除プレート６ｂと第２の解除プレート６ｃは長さ方向において離間６ｑし（ラッチプレート３ａの引掛け部３ｈが第２の解除プレート６ｃの立片６ｒを引掛けて第２の解除プレート６ｃを引っ張って第１の解除プレート６ｂから離間６ｑさせている。）、コイルスプリング６ｐは伸長された状態にあり、その復元力による付勢力が起動レバー６ｍによりプランジャ５ａを押圧する力として作用するようになっており（図２ａ）、プランジャ５ａが縮長状態に変化すれば、コイルスプリング６ｐの付勢力により第１の解除プレート６ｂが第２の解除プレート６ｃに接近する方向、即ち矢印Ａ１方向にスライド移動するようになっており、このとき第１の解除プレート６ｂの解除レバー６ｎがトグルリンク機構４ａのトリガピン４ｆを矢印Ａ１方向に引っ張り（図２ｂ）、トグルリンク機構４ａを伸長状態から屈折状態に変化させ、ラッチアーム３ｄが、解除方向（図面上の上方）に回動し、ラッチアーム３ｄの係合凹部３ｇと係止プレート３ｂの係合凸部３ｆの係合が解除される（図３ａ乃至ｃ）。
【００２４】
即ち、ラッチ解除機構部６におけるスライド機構６ａは、ソレノイド５が起動し、プランジャ５ａが縮長すれば、ラッチ固定機構部４のトグルリンク機構４ａを伸長状態から屈折状態に変化させることができ、ソレノイド５の起動により、自動でラッチ固定機構部３による防火戸のフックＨに対する係合保持状態を解除することができるようになっている。
【００２５】
さらに、防火戸用自動閉鎖装置１は、自動でラッチ機構部３による防火戸のフックＨに対する係合保持状態を解除することができるようになっているだけでなく、手動でもそのようにすることができるものとなっている。
【００２６】
具体的には、ラッチ機構部３の解除レバー付プレート３ｃの回動端には、手動解除用の解除レバー３ｉが設けられており、また、トグルリンク機構４ａには、それを伸長状態から屈折状態に変化させる第２のトリガの一例としての手動解除用のトリガレバー４ｇが第２アーム４ｃの自由端側に設けられており、両者が協働して、手動でラッチ機構部３の係合保持状態を解除することができるようになっており、即ち、防火戸を引っ張ることで、そのフックＨと係合部３ｅで係合状態にあるラッチプレート３ａは解放方向（図面上の時計回り）に回動するが、それと共に解除レバー付プレート３ｃも回動するようになっており、その際、解除レバー付プレート３ｃの解除レバー３ｉがトグルリンク機構４ａのトリガレバー４ｇを押動して、トグルリンク機構４ａを伸長状態から屈折状態へと変化させ、ラッチアーム３ｄが、解除方向（図面上の上方）に回動し、係合凹部３ｇと係合凸部３ｆの係合が解除され、ラッチ機構部３による防火戸のフックＨに対する係合保持状態を解除することができるようになっている（図４ａ乃至ｄ）。
【００２７】
ここで、防火戸用自動閉鎖装置１は、前記のように、自動によっても、手動によっても、ラッチ機構部３による防火戸のフックＨに対する係合保持状態を解除することができるようになっており、ラッチ固定機構部４を構成するトグルリンク機構４ａは、自動解除用のトリガとなるトリガピン４ｆと手動解除用のトリガとなるトリガレバー４ｇを別々に備えており、即ち、１つのラッチ固定機構４によって、自動で解除する場合にも、手動で解除する場合にもラッチアーム３ｄを解除方向（図面の上方）へ回動することで係合凸部３ｆと係合凹部３ｇの係合を解除するものとなっており、ラッチ固定機構部４がラッチ機構部３とは別に設けられることで、装置設計の自由度を広げ、製造時の寸法許容差を従来より大きく取れるものとなっている。
【００２８】
なお、防火戸用自動閉鎖装置１は、手動でラッチ機構部３による防火戸のフックＨに対する係合保持状態を解除する際のその解除に要する力、即ちラッチ機構部３の係合保持力を調節するための保持力調節機構部８をさらに備えている。この保持力調節機構部８は、ラッチプレート３ａの回動側端部に立設された移動側調節片８ａと、係止プレート３ｂの回動側端部に立設された固定側調節片８ｂと、両調節片８ａ、８ｂを常時密着方向に付勢するコイルスプリング８ｃと、コイルスプリング８ｃを伸縮させ、その密着方向への付勢力を調節するネジ８ｄによる伸縮機構とからなる。手動で係合保持状態を解除する際、ラッチプレート３ａの回動と共に移動側調節片８ａは、コイルスプリング８ｃによって係止プレート３ｂの固定側調節片８ｂとの間８ｅに作用する密着方向への付勢力に打ち勝って、係止プレート３ｂの固定側調節片８ｂから離間することになるが、その離間させるのに要する力、つまりは手動で係合保持状態を解除するのに要する力を、この保持力調節機構部８ｃによって、移動側調節片８ａと固定側調節片８ｂとの間８ｅに作用するコイルスプリング８ｃによる密着方向への付勢力をネジ８ｄを回動させて調節することができるようになっている。
【００２９】
最後に、ラッチ機構部３を係合保持状態からそれを解除して防火戸のフックを解放させる際の各構成の動作について、係合保持状態の解除を自動によりする場合と手動によりする場合とに分けて説明する。
【００３０】
[自動解除]
図３（ａ）乃至（ｃ）は、自動でラッチ機構部３を係合保持状態からそれを解除して防火戸のフックを解放する場合の各構成の変化の様子を示したものである。図３（ａ）に示すように、ラッチ機構部３が係合保持状態にあるとき、ラッチプレート３ａはその係合部３ｅが防火戸のフックＨと係合する位置（Ｐ１）にあるが、その状態が、係止プレート３ｂの係合凸部３ｆとラッチアーム３ｄの係合凹部３ｇとが係合し、ラッチアーム３ｄが連結されるトグルリンク機構４ａが伸長状態にあることで保持されている。ソレノイド５が起動すると、プランジャ５ａが図２（ａ）の伸長状態から図２（ｂ）の縮長状態に変化し、スライド機構６における第１の解除プレート６ｂがＡ１方向に移動し、その解除レバー６ｎがトグルリンク機構４ａのトリガピン４ｆを矢印Ａ１方向に移動させる。即ち、ソレノイド５が起動すると、図３（ｂ）及び（ｃ）に連続して示すように、第１の解除プレート６ｂによるトリガピン４ｆの矢印Ａ１方向への移動によって、トグルリンク機構４が伸長状態から屈折状態へと変化すると共に、ラッチアーム３ｄがその係合凹部３ｇが係止プレート３ｂの係合凸部３ｆと係合しない位置（図面上の上方）へと回動し、その係合が外れることで係合保持状態が解除され、図示しないスプリングの付勢力によりラッチプレート３ａが係止プレート３ｂ及び解除レバー付プレート３ｃと共に解放方向（図面上の時計回り）へと回動して、その係合部３ｅが防火戸のフックＨを解放させる位置（Ｐ２）に至り、防火戸のフックＨがラッチ機構部３から解放されることとなる。
【００３１】
[手動解除]
図４（ａ）乃至（ｄ）は、手動でラッチ機構部３を係合保持状態からそれを解除して防火戸のフックＨを解放する場合の各構成の変化の様子を示したものである。図４（ａ）に示すように、ラッチ機構部３が係合保持状態にあるとき、各構成は自動解除における場合と同様の状態にある。手動でラッチ機構部３の係合保持状態を解除するには、防火戸を引っ張って、そのフックＨによりラッチプレート３ａを係合部３ｅを介して解放方向（図面上の時計回り）へと引っ張ることになるが、そのようにすると、図４（ｂ）乃至（ｄ）に連続して示すように、ラッチプレート３ａが解除レバー付プレート３ｃと共に解放方向（図面上の時計回り）へと回動して、解除レバー付プレート３ｃの解除レバー３ｉがトグルリンク機構４のトリガレバー４ｇを押動し、それによりトグルリンク機構４を伸長状態から屈折状態へと変化させ、後は自動解除における場合と同様の変化を経て、係合部３ｅが防火戸のフックＨを解放させる位置（Ｐ２）に至り、防火戸のフックＨがラッチ機構部３から解放されることとなる。
【符号の説明】
【００３２】
１：防火戸用自動閉鎖装置  ２：ケース  ３：ラッチ機構部
３ａ：ラッチプレート  ３ｂ：係止プレート  ３ｃ：解除レバー付プレート
３ｄ：ラッチアーム  ３ｅ：係合部  ３ｆ：係合凸部  ３ｇ：係合凹部
３ｈ：引掛け部  ３ｉ：解除レバー  ４：ラッチ固定機構部
４ａ：トグルリンク機構  ４ｂ：第１アーム  ４ｃ：第２アーム
４ｄ：ジョイント部  ４ｅ：ジョイント部  ４ｆ：トリガピン
４ｇ：トリガレバー  ４ｈ：スプリング  ５：起動部  ５ａ：プランジャ
５ｂ：スプリング  ６：ラッチ解除機構部  ６ａ：スライド機構
６ｂ：第１の解除プレート  ６ｃ：第２の解除プレート  ６ｍ：起動レバー
６ｎ：解除レバー  ６ｐ：スプリング  ６ｑ：離間  ６ｒ：立片
７：中間シャーシ  ８：保持力調節機構部  ８ａ：移動側調節片
８ｂ：固定側調節片  ８ｃ：スプリング  ８ｄ：ネジ  ８ｅ：間
Ｘ１〜Ｘ３：軸  Ｈ：防火戸のフック
【図１】
0005576761.tif 000002
【図２】
0005576761.tif 000003
【図３】
0005576761.tif 000004
【図４】
0005576761.tif 000005